(57)【要約】  本発明は、ページング時間の決定方法、装置及びコンピュータ記憶媒体を開示し、前記方法は、端末がページング構成情報を受信することと、前記端末が前記ページング構成情報に基づいて、前記端末に対応するページング時間ユニットのタイプを決定することと、前記端末が前記ページング時間ユニットのタイプに基づいて、ページング時間ユニットのセットを決定することと、前記端末が前記ページング時間ユニットのセット内の少なくとも１つのページング時間においてページングメッセージを受信することとを含み、ここで、前記ページング時間ユニットは、第１のタイプのページング時間ユニット、第２のタイプのページング時間ユニットのうちの少なくとも１つを含む。
2021512523.tif 000002
【特許請求の範囲】
【請求項１】
端末がページング構成情報を受信することと、
前記端末が前記ページング構成情報に基づいて、前記端末に対応するページング時間ユニットのタイプを決定することと、
前記端末が前記ページング時間ユニットのタイプに基づいて、ページング時間ユニットのセットを決定することと、
前記端末が前記ページング時間ユニットのセット内の少なくとも１つのページング時間においてページングメッセージを受信することとを含み、
前記ページング時間ユニットは、第１のタイプのページング時間ユニット、第２のタイプのページング時間ユニットのうちの少なくとも１つを含む
ことを特徴とするページング時間の決定方法。
【請求項２】
前記端末が前記ページング構成情報に基づいて、前記端末に対応するページング時間ユニットのタイプを決定することは、
前記端末が前記ページング構成情報からページングメッセージに対応する時間周波数リソース情報を取得することと、
前記端末が前記ページングメッセージに対応する時間周波数リソース情報、同期信号ブロックＳＳ  ｂｌｏｃｋの時間周波数リソース情報、及び予め設定された帯域幅情報のうちの少なくとも１つに基づいて、前記端末に対応するページング時間ユニットのタイプを決定することとを含む
ことを特徴とする請求項１に記載のページング時間の決定方法。
【請求項３】
前記端末が前記ページング構成情報に基づいて、前記端末に対応するページング時間ユニットのタイプを決定することは、
前記端末が前記ページング構成情報からページング指示情報を取得することと、
前記端末が前記ページング指示情報に基づいて、前記端末に対応するページング時間ユニットのタイプを決定することとを含む
ことを特徴とする請求項１に記載のページング時間の決定方法。
【請求項４】
前記端末が前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプを決定することは、
前記端末が前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定すること、
又は、
前記端末が前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定することを含む
ことを特徴とする請求項２に記載のページング時間の決定方法。
【請求項５】
前記予め設定された帯域幅情報が端末の最小帯域幅情報、又は、前記予め設定された帯域幅情報が前記端末に対応する帯域幅情報である
ことを特徴とする請求項４に記載のページング時間の決定方法。
【請求項６】
前記端末が前記ページング指示情報に基づいて、前記端末に対応するページング時間ユニットのタイプを決定することは、
前記端末が前記ページング指示情報に基づいて、前記端末に対応するページング時間ユニットのタイプが第１のタイプのページング時間ユニット又は第２のタイプのページング時間ユニットであると決定すること、又は、
前記端末が前記ページング指示情報に基づいて、前記端末に対応するページング時間ユニットのタイプが第１のタイプのページング時間ユニット及び第２のタイプのページング時間ユニットであると決定することを含む
ことを特徴とする請求項３に記載のページング時間の決定方法。
【請求項７】
前記第１のタイプのページング時間ユニットが第１の時間周波数リソースタイプに対応し、前記第２のタイプのページング時間ユニットが第２の時間周波数リソースタイプに対応する
ことを特徴とする請求項１に記載のページング時間の決定方法。
【請求項８】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ  ｂｌｏｃｋの時間周波数リソースの多重方式と、前記第２の時間周波数リソースタイプとＳＳ  ｂｌｏｃｋの時間周波数リソースの多重方式とが異なる
ことを特徴とする請求項７に記載のページング時間の決定方法。
【請求項９】
前記第１のタイプのページング時間ユニットが第１の時間周波数リソースタイプに対応することは、
ＳＳ  ｂｌｏｃｋを送信する名義リソースｎｏｍｉｎａｌ  ｒｅｓｏｕｒｃｅの位置するシンボルにおいて、第１のタイプのページング時間ユニットに対応する時間周波数リソースと前記ｎｏｍｉｎａｌ  ｒｅｓｏｕｒｃｅとが、周波数分割されることを含む
ことを特徴とする請求項７又は８に記載のページング時間の決定方法。
【請求項１０】
前記第２のタイプのページング時間ユニットが第２の時間周波数リソースタイプに対応することは、
ＳＳ  ｂｌｏｃｋを送信しないｎｏｍｉｎａｌ  ｒｅｓｏｕｒｃｅの位置するシンボルにおいて、第２のタイプのページング時間ユニットに対応する時間周波数リソースが前記ｎｏｍｉｎａｌ  ｒｅｓｏｕｒｃｅの位置する時間周波数リソースを含むことを含む
ことを特徴とする請求項７又は８に記載のページング時間の決定方法。
【請求項１１】
前記第２のタイプのページング時間ユニットが第２の時間周波数リソースタイプに対応することは、
第２のタイプのページング時間ユニットに対応する時間周波数リソースと前記ｎｏｍｉｎａｌ  ｒｅｓｏｕｒｃｅとが、時間分割されることを含む
ことを特徴とする請求項７又は８に記載のページング時間の決定方法。
【請求項１２】
前記ページング時間ユニットは、ページングタイミングＰＯ、又はＰＯの一部の時間ユニットを含む
ことを特徴とする請求項１〜１１のいずれか１項に記載のページング時間の決定方法。
【請求項１３】
ネットワークがページング構成情報を送信することと、
前記ネットワークが前記ページング構成情報に対応するページング時間ユニットのセット内の少なくとも１つのページング時間ユニットにおいてページングメッセージを送信することとを含み、
前記ページング構成情報が、端末に対応するページング時間ユニットのタイプを決定するために用いられ、
前記ページング時間ユニットは、第１のタイプのページング時間ユニット、第２のタイプのページング時間ユニットのうちの少なくとも１つを含む
ことを特徴とするページング時間の決定方法。
【請求項１４】
前記ページング構成情報が、ページングメッセージに対応する時間周波数リソース情報を含む
ことを特徴とする請求項１３に記載のページング時間の決定方法。
【請求項１５】
前記ページング構成情報がページング指示情報を含む
ことを特徴とする請求項１３に記載のページング時間の決定方法。
【請求項１６】
前記第１のタイプのページング時間ユニットが第１の時間周波数リソースタイプに対応し、前記第２のタイプのページング時間ユニットが第２の時間周波数リソースタイプに対応する
ことを特徴とする請求項１３に記載のページング時間の決定方法。
【請求項１７】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ  ｂｌｏｃｋの時間周波数リソースの多重方式と、前記第２の時間周波数リソースタイプとＳＳ  ｂｌｏｃｋの時間周波数リソースの多重方式とが異なる
ことを特徴とする請求項１６に記載のページング時間の決定方法。
【請求項１８】
前記第１のタイプのページング時間ユニットが第１の時間周波数リソースタイプに対応することは、
ＳＳ  ｂｌｏｃｋを送信するｎｏｍｉｎａｌ  ｒｅｓｏｕｒｃｅの位置するシンボルにおいて、第１のタイプのページング時間ユニットに対応する時間周波数リソースと前記ｎｏｍｉｎａｌ  ｒｅｓｏｕｒｃｅとが、周波数分割されることを含む
ことを特徴とする請求項１６又は１７に記載のページング時間の決定方法。
【請求項１９】
前記第２のタイプのページング時間ユニットが第２の時間周波数リソースタイプに対応することは、
ＳＳ  ｂｌｏｃｋを送信しないｎｏｍｉｎａｌ  ｒｅｓｏｕｒｃｅの位置するシンボルにおいて、第２のタイプのページング時間ユニットに対応する時間周波数リソースが前記ｎｏｍｉｎａｌ  ｒｅｓｏｕｒｃｅの位置する時間周波数リソースを含むことを含む
ことを特徴とする請求項１６又は１７に記載のページング時間の決定方法。
【請求項２０】
前記第２のタイプのページング時間ユニットが第２の時間周波数リソースタイプに対応することは、
第２のタイプのページング時間ユニットに対応する時間周波数リソースと前記ｎｏｍｉｎａｌ  ｒｅｓｏｕｒｃｅとが、時間分割されることを含む
ことを特徴とする請求項１６又は１７に記載のページング時間の決定方法。
【請求項２１】
前記ページング時間ユニットは、ＰＯ又はＰＯの一部の時間ユニットを含む
ことを特徴とする請求項１３〜２０のいずれか１項に記載のページング時間の決定方法。
【請求項２２】
第１の受信ユニットと、第１の決定ユニットと、第２の決定ユニットと、第２の受信ユニットとを備えるページング時間の決定装置であって、
前記第１の受信ユニットは、ページング構成情報を受信するように構成され、
前記第１の決定ユニットは、前記ページング構成情報に基づいて、前記端末に対応するページング時間ユニットのタイプを決定するように構成され、
前記第２の決定ユニットは、前記ページング時間ユニットのタイプに基づいて、ページング時間ユニットのセットを決定するように構成され、
前記第２の受信ユニットは、前記ページング時間ユニットのセット内の少なくとも１つのページング時間においてページングメッセージを受信するように構成され、
前記ページング時間ユニットは、第１のタイプのページング時間ユニット、第２のタイプのページング時間ユニットのうちの少なくとも１つを含む
ことを特徴とするページング時間の決定装置。
【請求項２３】
前記第１の決定ユニットは、前記ページング構成情報からページングメッセージに対応する時間周波数リソース情報を取得し、前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプを決定するように構成される
ことを特徴とする請求項２２に記載のページング時間の決定装置。
【請求項２４】
前記第１の決定ユニットは、前記ページング構成情報からページング指示情報を取得し、前記ページング指示情報に基づいて前記端末に対応するページング時間ユニットのタイプを決定するように構成される
ことを特徴とする請求項２２に記載のページング時間の決定装置。
【請求項２５】
前記第１の決定ユニットは、前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定し、
又は、前記ページングメッセージに対応する時間周波数リソース情報、ＳＳ  ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定するように構成される
ことを特徴とする請求項２３に記載のページング時間の決定装置。
【請求項２６】
前記予め設定された帯域幅情報が端末の最小帯域幅情報、又は、前記予め設定された帯域幅情報が前記端末に対応する帯域幅情報である
ことを特徴とする請求項２５に記載のページング時間の決定装置。
【請求項２７】
前記第１の決定ユニットは、前記ページング指示情報に基づいて、前記端末に対応するページング時間ユニットのタイプが第１のタイプのページング時間ユニット又は第２のタイプのページング時間ユニットであると決定し、又は、前記ページング指示情報に基づいて、前記端末に対応するページング時間ユニットのタイプが第１のタイプのページング時間ユニット及び第２のタイプのページング時間ユニットであると決定するように構成される
ことを特徴とする請求項２４に記載のページング時間の決定装置。
【請求項２８】
前記第１のタイプのページング時間ユニットが第１の時間周波数リソースタイプに対応し、前記第２のタイプのページング時間ユニットが第２の時間周波数リソースタイプに対応する
ことを特徴とする請求項２２に記載のページング時間の決定装置。
【請求項２９】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプと同期信号ブロックＳＳ  ｂｌｏｃｋの時間周波数リソースの多重方式と、前記第２の時間周波数リソースタイプとＳＳ  ｂｌｏｃｋの時間周波数リソースの多重方式とが、異なる
ことを特徴とする請求項２８に記載のページング時間の決定装置。
【請求項３０】
前記第１のタイプのページング時間ユニットが第１の時間周波数リソースタイプに対応することは、
ＳＳ  ｂｌｏｃｋを送信するｎｏｍｉｎａｌ  ｒｅｓｏｕｒｃｅの位置するシンボルにおいて、第１のタイプのページング時間ユニットに対応する時間周波数リソースと前記ｎｏｍｉｎａｌ  ｒｅｓｏｕｒｃｅとが、周波数分割されることを含む
ことを特徴とする請求項２８又は２９に記載のページング時間の決定装置。
【請求項３１】
前記第２のタイプのページング時間ユニットが第２の時間周波数リソースタイプに対応することは、
ＳＳ  ｂｌｏｃｋを送信しないｎｏｍｉｎａｌ  ｒｅｓｏｕｒｃｅの位置するシンボルにおいて、第２のタイプのページング時間ユニットに対応する時間周波数リソースが前記ｎｏｍｉｎａｌ  ｒｅｓｏｕｒｃｅの位置する時間周波数リソースを含むことを含む
ことを特徴とする請求項２８又は２９に記載のページング時間の決定装置。
【請求項３２】
前記第２のタイプのページング時間ユニットが第２の時間周波数リソースタイプに対応することは、
第２のタイプのページング時間ユニットに対応する時間周波数リソースと前記ｎｏｍｉｎａｌ  ｒｅｓｏｕｒｃｅとが、時間分割されることを含む
ことを特徴とする請求項２８又は２９に記載のページング時間の決定装置。
【請求項３３】
前記ページング時間ユニットは、ＰＯ又はＰＯの一部の時間ユニットを含む
ことを特徴とする請求項２２〜３２のいずれか１項に記載のページング時間の決定装置。
【請求項３４】
第１の送信ユニットと、第２の送信ユニットとを備えるページング時間の決定装置であって、
前記第１の送信ユニットは、ページング構成情報を送信するように構成され、前記ページング構成情報が、端末に対応するページング時間ユニットのタイプを決定するために用いられ、
前記第２の送信ユニットは、前記ページング構成情報に対応するページング時間ユニットのセット内の少なくとも１つのページング時間ユニットにおいてページングメッセージを送信するように構成され、
前記ページング時間ユニットは、第１のタイプのページング時間ユニット、第２のタイプのページング時間ユニットのうちの少なくとも１つを含む
ことを特徴とするページング時間の決定装置。
【請求項３５】
前記ページング構成情報が、ページングメッセージに対応する時間周波数リソース情報を含む
ことを特徴とする請求項３４に記載のページング時間の決定装置。
【請求項３６】
前記ページング構成情報がページング指示情報を含む
ことを特徴とする請求項３４に記載のページング時間の決定装置。
【請求項３７】
前記第１のタイプのページング時間ユニットが第１の時間周波数リソースタイプに対応し、前記第２のタイプのページング時間ユニットが第２の時間周波数リソースタイプに対応する
ことを特徴とする請求項３４に記載のページング時間の決定装置。
【請求項３８】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ  ｂｌｏｃｋの時間周波数リソースの多重方式と、前記第２の時間周波数リソースタイプとＳＳ  ｂｌｏｃｋの時間周波数リソースの多重方式とが異なる
ことを特徴とする請求項３７に記載のページング時間の決定装置。
【請求項３９】
前記第１のタイプのページング時間ユニットが第１の時間周波数リソースタイプに対応することは、
ＳＳ  ｂｌｏｃｋを送信するｎｏｍｉｎａｌ  ｒｅｓｏｕｒｃｅの位置するシンボルにおいて、第１のタイプのページング時間ユニットに対応する時間周波数リソースと前記ｎｏｍｉｎａｌ  ｒｅｓｏｕｒｃｅとが、周波数分割されることを含む
ことを特徴とする請求項３７又は３８に記載のページング時間の決定装置。
【請求項４０】
前記第２のタイプのページング時間ユニットが第２の時間周波数リソースタイプに対応することは、
ＳＳ  ｂｌｏｃｋを送信しないｎｏｍｉｎａｌ  ｒｅｓｏｕｒｃｅの位置するシンボルにおいて、第２のタイプのページング時間ユニットに対応する時間周波数リソースが前記ｎｏｍｉｎａｌ  ｒｅｓｏｕｒｃｅの位置する時間周波数リソースを含むことを含む
ことを特徴とする請求項３７又は３８に記載のページング時間の決定装置。
【請求項４１】
前記第２のタイプのページング時間ユニットが第２の時間周波数リソースタイプに対応することは、
第２のタイプのページング時間ユニットに対応する時間周波数リソースと前記ｎｏｍｉｎａｌ  ｒｅｓｏｕｒｃｅとが、時間分割されることを含む
ことを特徴とする請求項３７又は３８に記載のページング時間の決定装置。
【請求項４２】
前記ページング時間ユニットは、ＰＯ又はＰＯの一部の時間ユニットを含む
ことを特徴とする請求項３４〜４１のいずれか１項に記載のページング時間の決定装置。
【請求項４３】
プロセッサによって実行されると、請求項１〜１２のいずれか一項に記載の方法ステップ、又は請求項１３から２１のいずれか一項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、ページング時間の決定方法、装置及びコンピュータ記憶媒体に関する。
【背景技術】
【０００２】
ロングタームエボリューション( ＬＴＥ、Ｌｏｎｇ Ｔｅｒｍ Ｅｖｏｌｕｔｉｏｎ )システムにおいて、ネットワークは、アイドル（Ｉｄｌｅ）状態の端末( ＵＥ、Ｕｓｅｒ Ｅｑｕｉｐｍｅｎｔ )及び接続（Ｃｏｎｎｅｃｔｉｏｎ）状態のＵＥにページングを送信し得る。ＵＥの場合、ＵＥは、１つの不連続受信( ＤＲＸ )周期中のページングフレーム( ＰＦ、Ｐａｇｉｎｇ Ｆｒａｍｅ )中のページング時間ユニットでページングメッセージを受信する。
【０００３】
ＵＥは、自身のＵＥ＿ＩＤに基づいて、１つのＤＲＸ周期内で自身のページング時間ユニットに属する位置を決定し、ページングメッセージを受信する。しかしながら、ページング時間ユニットは異なる時間周波数リソースタイプを有し、ページングメッセージを搬送するために使用される時間周波数リソースと同期信号ブロック( ＳＳ ｂｌｏｃｋ、Ｓｙｎｃｈｒｏｎｉｚａｔｉｏｎ Ｓｉｇｎａｌ ｂｌｏｃｋ )の名義リソース( ｎｏｍｉｎａｌ ｒｅｓｏｕｒｃｅ )とが周波数分割多重される場合、システム内のＵＥの最小帯域幅能力を超過し、ＵＥがページングを受信することができない。
【発明の概要】
【０００４】
本発明の実施例は、上記の技術課題を解決するために、ページングタイミングの決定方法、装置及びコンピュータ記憶媒体を提供する。
【０００５】
本願の実施例におけるページング時間の決定方法は、
端末がページング構成情報を受信することと、
前記端末が前記ページング構成情報に基づいて、前記端末に対応するページング時間ユニットのタイプを決定することと、
前記端末が前記ページング時間ユニットのタイプに基づいて、ページング時間ユニットのセットを決定することと、
前記端末が前記ページング時間ユニットのセット内の少なくとも１つのページング時間においてページングメッセージを受信することとを含み、
ここで、前記ページング時間ユニットは、第１のタイプのページング時間ユニット、第２のタイプのページング時間ユニットのうちの少なくとも１つを含む。
【０００６】
本発明の実施例において、前記端末が前記ページング構成情報に基づいて、前記端末に対応するページング時間ユニットのタイプを決定することは、
前記端末が前記ページング構成情報からページングメッセージに対応する時間周波数リソース情報を取得することと、
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定することとを含む。
【０００７】
本発明の実施例において、前記端末が前記ページング構成情報に基づいて、前記端末に対応するページング時間ユニットのタイプを決定することは、
前記端末が前記ページング構成情報からページング指示情報を取得することと、
前記端末が前記ページング指示情報に基づいて、前記端末に対応するページング時間ユニットのタイプを決定することとを含む。
【０００８】
本発明の実施例において、前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定することは、
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定すること、
又は、
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定することを含む。
【０００９】
本発明の実施例において、前記予め設定された帯域幅情報が端末の最小帯域幅情報、又は、前記予め設定された帯域幅情報が前記端末に対応する帯域幅情報である。
【００１０】
本発明の実施例において、前記端末が前記ページング指示情報に基づいて、前記端末に対応するページング時間ユニットのタイプを決定することは、
前記端末が前記ページング指示情報に基づいて、前記端末に対応するページング時間ユニットのタイプが第１のタイプのページング時間ユニット又は第２のタイプのページング時間ユニットであると決定すること、又は、
前記端末が前記ページング指示情報に基づいて、前記端末に対応するページング時間ユニットのタイプが第１のタイプのページング時間ユニット及び第２のタイプのページング時間ユニットであると決定することを含む。
【００１１】
本発明の実施例において、前記第１のタイプのページング時間ユニットが第１の時間周波数リソースタイプに対応し、前記第２のタイプのページング時間ユニットが第２の時間周波数リソースタイプに対応する。
【００１２】
本発明の実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００１３】
本発明の実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【００１４】
本発明の実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【００１５】
本発明の実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【００１６】
本発明の実施例において、前記ページング時間ユニットは、ページングタイミング（ＰＯ）、又はＰＯの一部の時間ユニットを含む。
【００１７】
本願の実施例におけるページング時間の決定方法は、
ネットワークがページング構成情報を送信することと、
前記ネットワークが前記ページング構成情報に対応するページング時間ユニットのセット内の少なくとも１つのページング時間ユニットにおいてページングメッセージを送信することとを含み、
前記ページング構成情報が、端末に対応するページング時間ユニットのタイプを決定するために用いられ、
ここで、前記ページング時間ユニットは、第１のタイプのページング時間ユニット、第２のタイプのページング時間ユニットのうちの少なくとも１つを含む。
【００１８】
本発明の実施例において、前記ページング構成情報が、ページングメッセージに対応する時間周波数リソース情報を含む。
【００１９】
本発明の実施例において、前記ページング構成情報がページング指示情報を含む。
【００２０】
本発明の実施例において、前記第１のタイプのページング時間ユニットが第１の時間周波数リソースタイプに対応し、前記第２のタイプのページング時間ユニットが第２の時間周波数リソースタイプに対応する。
【００２１】
本発明の実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００２２】
本発明の実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【００２３】
本発明の実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【００２４】
本発明の実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【００２５】
本発明の実施例において、前記ページング時間ユニットは、ＰＯ又はＰＯの一部の時間ユニットを含む。
【００２６】
本願の実施例におけるページング時間の決定装置は、第１の受信ユニットと、第１の決定ユニットと、第２の決定ユニットと、第２の受信ユニットとを備え、
第１の受信ユニットは、ページング構成情報を受信するように構成され、
第１の決定ユニットは、前記ページング構成情報に基づいて、前記端末に対応するページング時間ユニットのタイプを決定するように構成され、
第２の決定ユニットは、前記ページング時間ユニットのタイプに基づいて、ページング時間ユニットのセットを決定するように構成され、
第２の受信ユニットは、前記ページング時間ユニットのセット内の少なくとも１つのページング時間においてページングメッセージを受信するように構成され、
ここで、前記ページング時間ユニットは、第１のタイプのページング時間ユニット、第２のタイプのページング時間ユニットのうちの少なくとも１つを含む。
【００２７】
本発明の実施例において、前記第１の決定ユニットは、前記ページング構成情報からページングメッセージに対応する時間周波数リソース情報を取得し、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定するように構成される。
【００２８】
本発明の実施例において、前記第１の決定ユニットは、前記ページング構成情報からページング指示情報を取得し、前記ページング指示情報に基づいて前記端末に対応するページング時間ユニットのタイプを決定するように構成される。
【００２９】
本発明の実施例において、前記第１の決定ユニットは、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定し、又は、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定するように構成される。
【００３０】
本発明の実施例において、前記予め設定された帯域幅情報が端末の最小帯域幅情報、又は、前記予め設定された帯域幅情報が前記端末に対応する帯域幅情報である。
【００３１】
本発明の実施例において、前記第１の決定ユニットは、前記ページング指示情報に基づいて、前記端末に対応するページング時間ユニットのタイプが第１のタイプのページング時間ユニット又は第２のタイプのページング時間ユニットであると決定し、又は、前記ページング指示情報に基づいて、前記端末に対応するページング時間ユニットのタイプが第１のタイプのページング時間ユニット及び第２のタイプのページング時間ユニットであると決定するように構成される。
【００３２】
本発明の実施例において、前記第１のタイプのページング時間ユニットが第１の時間周波数リソースタイプに対応し、前記第２のタイプのページング時間ユニットが第２の時間周波数リソースタイプに対応する。
【００３３】
本発明の実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００３４】
本発明の実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【００３５】
本発明の実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【００３６】
本発明の実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【００３７】
本発明の実施例において、前記ページング時間ユニットは、ＰＯ又はＰＯの一部の時間ユニットを含む。
【００３８】
本願の実施例におけるページング時間の決定装置は、第１の送信ユニットと、第２の送信ユニットとを備え、
第１の送信ユニットは、ページング構成情報を送信するように構成され、前記ページング構成情報が、端末に対応するページング時間ユニットのタイプを決定するために用いられ、
第２の送信ユニットは、前記ページング構成情報に対応するページング時間ユニットのセット内の少なくとも１つのページング時間ユニットにおいてページングメッセージを送信するように構成され、
ここで、前記ページング時間ユニットは、第１のタイプのページング時間ユニット、第２のタイプのページング時間ユニットのうちの少なくとも１つを含む。
【００３９】
本発明の実施例において、前記ページング構成情報が、ページングメッセージに対応する時間周波数リソース情報を含む。
【００４０】
本発明の実施例において、前記ページング構成情報がページング指示情報を含む。
【００４１】
本発明の実施例において、前記第１のタイプのページング時間ユニットが第１の時間周波数リソースタイプに対応し、前記第２のタイプのページング時間ユニットが第２の時間周波数リソースタイプに対応する。
【００４２】
本発明の実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００４３】
本発明の実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【００４４】
本発明の実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【００４５】
本発明の実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【００４６】
本発明の実施例において、前記ページング時間ユニットは、ＰＯ又はＰＯの一部の時間ユニットを含む。
【００４７】
本発明の実施例は、プロセッサによって実行されると、上述したページング時間の決定方法を実現するコンピュータ実行可能命令を記憶したコンピュータ記憶媒体を提供する。
【００４８】
本発明の実施例に係る技術案は、端末がページング構成情報を受信し、前記端末が前記ページング構成情報に基づいて、前記端末に対応するページング時間ユニットのタイプを決定し、前記端末が前記ページング時間ユニットのタイプに基づいて、ページング時間ユニットのセットを決定し、前記端末が前記ページング時間ユニットのセット内の少なくとも１つのページング時間においてページングメッセージを受信し、ここで、前記ページング時間ユニットは、第１のタイプのページング時間ユニット、第２のタイプのページング時間ユニットのうちの少なくとも１つを含む。本発明の実施例の技術案において、ネットワーク側のページング構成が変化した場合、セル内で利用可能なページング時間ユニットセットをＵＥにタイムリーに知らせることができ、ネットワーク側にページングリソースを柔軟に構成させることができる。
【図面の簡単な説明】
【００４９】
本明細書に記載された図面は、本発明の更なる理解を提供するために提供されたものであり、本願の一部を構成し、本発明の例示的な実施形態及びその説明は、本発明を説明するためのものであり、本発明を限定するものではない。
【図１】基地局がビームで無線信号を送信する概略図である。
【図２】ＳＳ ｂｌｏｃｋの模式図である。
【図３】異なるサブキャリア間隔および周波数帯におけるスロット分布図である。
【図４】異なるサブキャリア間隔におけるＳＳ ｂｏｃｋの分布図である。
【図５】ＳＳ ｂｌｏｃｋが位置する所定の時間周波数リソースのｓｌｏｔ内の位置分布図である。
【図６】ＰＦ及びＰＯの分布図である。
【図７】ＰＯの時間周波数リソースの分布図である。
【図８】本発明の実施例におけるページング時間の決定方法のフローチャート一である。
【図９】本発明の実施例におけるページング時間の決定装置の構成の模式図一である。
【図１０】本発明の実施例におけるページング時間の決定方法のフローチャート二である。
【図１１】本発明の実施例におけるページング時間の決定装置の構成の模式図二である。
【図１２】本発明の実施例における端末の構成の模式図である。
【発明を実施するための形態】
【００５０】
以下、本発明の実施例の技術的解決策を理解しやすくするために、本発明の実施例に係る技術的解決策の要部を説明する。
【００５１】
１）５Ｇのビーム
５Ｇシステムは、ＬＴＥシステムよりも使用する周波数帯域が高いため、ＬＴＥシステムよりも５Ｇシステムの無線信号伝送のパスロスが大きくなり、５Ｇシステムの無線信号のカバレッジが小さくなる。このため、５Ｇシステムでは、基地局のマルチアンテナシステムによりビームフォーミング（ｂｅａｍｆｏｒｍｉｎｇ）技術を用いてビームを形成し、無線信号の利得を向上させることにより、パスロスを補っている。ビームフォーミング技術では、ビームに指向性があり、１つの狭いビームでセルの一部の領域しかカバーできず、セルの全域をカバーできない。図１に示すように、基地局は４つの異なる方向のビーム( Ｂ１、Ｂ２、Ｂ３、Ｂ４ )で信号を送信してもよく、ビームＢ２についてはＵＥ１しかカバーすることができず、ＵＥ２をカバーすることができない。
【００５２】
２）５ＧのＳＳ ｂｌｏｃｋ
５Ｇシステムにおける共通チャネル及び共通信号、例えば、ブロードキャストチャネル及び同期信号は、セル内のＵＥがこれらの信号を受信できるようにマルチビームスキャンによってセル全体をカバーすることが必要である。同期信号は、同期信号バースト群( ＳＳ ｂｕｒｓｔ ｓｅｔ )を定義することにより、マルチビームの送信が実現される。１つのＳＳ ｂｕｒｓｔ ｓｅｔは、１つ以上の同期信号バースト( ＳＳ ｂｕｒｓｔ )を含み、１つのＳＳ ｂｕｒｓｔは、１つ以上のＳＳ ｂｌｏｃｋ ( ＳＳＢと呼ばれることもある)を含む。１つのＳＳ ｂｌｏｃｋは、１つのビームの同期信号およびブロードキャストチャネルを搬送するために使用され、したがって、１つのＳＳ ｂｕｒｓｔ ｓｅｔは、セル範囲内のＳＳ ｂｌｏｃｋ数( ＳＳ ｂｌｏｃｋ ｎｕｍｂｅｒ )のビームの同期信号を含み得る。図２に示されるように、１つのＳＳ ｂｌｏｃｋには、１シンボルのプライマリ同期信号( ＰＳＳ )、１シンボルのセカンダリ同期信号( ＳＳＳ )、および２シンボルの物理ブロードキャストチャネル( ＰＢＣＨ、Ｐｈｙｓｉｃａｌ Ｂｒｏａｄｃａｓｔ Ｃｈａｎｎｅｌ )が含まれる。
【００５３】
１つのＳＳ ｂｕｒｓｔ ｓｅｔが含むＳＳ ｂｌｏｃｋの数Ｌは、システムの帯域に応じて決定され、例えば、
３ＧＨｚの周波数帯域について、Ｌは４であり
３ＧＨｚ〜６ＧＨｚの周波数帯域について、Ｌは８であり
６ＧＨｚ〜５２.６ＧＨｚの周波数帯域では、Ｌは６４である。
【００５４】
ＳＳ ｂｕｒｓｔ ｓｅｔについて、その送信周期は、構成され得、一例では、１つの周期内のＳＳ ｂｕｒｓｔ ｓｅｔは、５ｍｓの時間窓内で送信される。また、システムのサブキャリア間隔( ＳＣＳ、Ｓｕｂｃａｒｒｉｅｒ Ｓｐａｃｉｎｇ )も構成されてもよく、異なるサブキャリア間隔及び周波数バンドにおけるスロット分布は、図３に示され、図３の上から下に、
１５ＫＨｚ ＳＣＳかつＬ＝４ ( ３ＧＨｚの周波数帯域に対応)におけるＳＳ ｂｕｒｓｔ ｓｅｔのスロット分布、
１５ＫＨｚ ＳＣＳかつＬ＝８ ( ３ＧＨｚ〜６ＧＨｚの周波数帯域に対応)におけるＳＳ ｂｕｒｓｔ ｓｅｔのスロット分布、
３０ＫＨｚ ＳＣＳかつＬ＝４ ( ３ＧＨｚの周波数帯域に対応)におけるＳＳ ｂｕｒｓｔ ｓｅｔのスロット分布、
３０ＫＨｚ ＳＣＳかつＬ＝８ ( ３ＧＨｚ-６ＧＨｚの周波数帯域に対応)におけるＳＳ ｂｕｒｓｔ ｓｅｔのスロット分布、
１２０ＫＨｚ ＳＣＳおよびＬ＝６４ ( ６ＧＨｚ-５２.６ＧＨｚの周波数帯域に対応)におけるＳＳ ｂｕｒｓｔ ｓｅｔのスロット分布、
２４０ＫＨｚ ＳＣＳかつＬ＝６４ ( ６ＧＨｚ-５２.６ＧＨｚの周波数帯域に対応)でのＳＳ ｂｕｒｓｔ ｓｅｔのスロット分布、をそれぞれ示している。
【００５５】
さらに、１つのスロット（ｓｌｏｔ）内のＳＳ ｂｌｏｃｋの分布に対して、１つのスロットは１４シンボル（ｓｙｍｂｏｌ）を含み、最大で２個のＳＳ ｂｌｏｃｋを搬送することができる。異なるサブキャリア間隔におけるＳＳ ｂｏｃｋの分布は、図４に示されており、図４に、上から下に、
１５ＫＨｚ ＳＣＳにおける１つのスロットにおけるＳＳ ｂｌｏｃｋの分布、
３０ＫＨｚ ＳＣＳにおける１つのスロットにおけるＳＳ ｂｌｏｃｋの分布１、
３０ＫＨｚ ＳＣＳにおける１つのスロットにおけるＳＳ ｂｌｏｃｋの分布２、
１２０ＫＨｚ ＳＣＳにおける１つのスロットにおけるＳＳ ｂｌｏｃｋの分布、
２４０ＫＨｚ ＳＣＳにおける１スロット中のＳＳ ｂｌｏｃｋの分布、それぞれ示している。
【００５６】
上記方式では、ＳＳ ｂｌｏｃｋの数Ｌはシステムの帯域によって決定されるが、ＬはＳＳ ｂｌｏｃｋに対応する最大数だけであり、ネットワークが実際に送信するＳＳ ｂｌｏｃｋの数はＬよりも少なく、ＵＥがレートマッチングを行うためにネットワークが実際に送信するＳＳ ｂｌｏｃｋ個の数をＵＥに指示する必要があり、ＳＳ ｂｌｏｃｋが送信されない時間周波数リソース位置は、物理下り共有チャネル( ＰＤＳＣＨ、Ｐｈｙｓｉｃａｌ Ｄｏｗｎｌｉｎｋ Ｓｈａｒｅｄ Ｃｈａｎｎｅｌ )のような他のチャネルの送信のために使用されてもよい。ここで、ネットワークが実際に送信するＳＳ ｂｌｏｃｋの情報はＲＭＳＩで指示される。
【００５７】
ＳＳ ｂｌｏｃｋが位置する予め定義された時間周波数リソースのｓｌｏｔ内での位置分布は図５に示すとおりであるが、ＳＳ ｂｌｏｃｋの周期の違いに加えて、実際に送信されるＳＳ ｂｌｏｃｋの違いにより、予め定義された時間周波数リソース上ではＳＳ ｂｌｏｃｋが送信されるとは限らないため、これらの予め定義された時間周波数リソースをＳＳ ｂｌｏｃｋの名義リソース( ｎｏｍｉｎａｌ ｒｅｓｏｕｒｃｅ )と呼ぶ。
【００５８】
３）ＬＴＥのページング
ＬＴＥシステムにおいて、ネットワークは、アイドル（ｉｄｌｅ）状態のＵＥ及び接続（Ｃｏｎｎｅｃｔｉｏｎ）状態のＵＥにページングを送信し得る。ページング手順は、コアネットワーク又は基地局によってトリガされ、ｉｄｌｅ状態にあるＵＥにページング要求を送信するように構成され、又はＵＥにシステム情報更新を通知するように構成され、又はＵＥに地震津波警報情報( ＥＴＷＳ )及び商用移動警報サービス( ＣＭＡＳ )等の情報を受信するように通知するように構成される。基地局は、コアネットワークのページングメッセージを受信した後、ページングメッセージを解析し、ＵＥのトラッキングエリア識別リスト( ＴＡ Ｌｉｓｔ、Ｔｒａｃｋｉｎｇ Ａｒｅａ Ｉｄｅｎｔｉｔｙ Ｌｉｓｔ )を取得し、ＴＡ Ｌｉｓｔ中のトラッキングエリアに属するセルに対して無線ページングを行う。さらに、基地局は、コアネットワークのページングメッセージを受信した後、ＰＯが同一のページングメッセージを１つのページングメッセージにまとめ、ページングチャネルを介して関連するＵＥに送信する。ＵＥは、ページングパラメータをシステムメッセージで受信し、ＰＯを自身の国際移動加入者識別番号( ＩＭＳＩ、Ｉｎｔｅｒｎａｔｉｏｎａｌ Ｍｏｂｉｌｅ Ｓｕｂｓｃｒｉｂｅｒ Ｉｄｅｎｔｉｆｉｃａｔｉｏｎ Ｎｕｍｂｅｒ )と共に計算し、ＰＯに従って対応する時間にページングメッセージを受信する。ここで、ページングメッセージはＰＤＳＣＨによって搬送され、ＵＥはＰ−ＲＮＴＩでスクランブルされた物理下り制御チャネル( ＰＤＣＣＨ、Ｐｈｙｓｉｃａｌ Ｄｏｗｎｌｉｎｋ Ｃｏｎｔｒｏｌ Ｃｈａｎｎｅｌ )を検出することによってページング指示情報を取得し、ＰＤＳＣＨにおいてページングメッセージを受信する。さらに、Ｉｄｌｅ状態のＵＥは、ＤＲＸによって省電力化され、ＵＥは、ＳＩＢ２からＤＲＸ関連情報を取得し、Ｐ−ＲＮＴIによってスクランブルされたＰＤＣＣＨを１ ＤＲＸ周期中のＰＦのＰＯでリッスンしてページングメッセージを受信する。
【００５９】
上記構成において、ＰＦはページングメッセージがどのシステムフレーム番号に現れるべきかを示し、ＰＯはページングメッセージが現れる可能性のあるサブフレーム時刻を示す。１つのＰＦフレームは、１以上のＰＯサブフレームを含むことができ、各ＤＲＸ周期又はページング周期( Ｐａｇｉｎｇ Ｃｙｃｌｅ )において、ＵＥは、自分に属するＰＯサブフレームをリッスンすればよく、ＰＦ及びＰＯの分布は、図６に示されるように示される。以下の式を満たすＳＦＮは、ＰＦフレームとして用いることができる
ＳＦＮ ｍｏｄ Ｔ＝ （Ｔ ｄｉｖ Ｎ）×（ＵＥ_ＩＤ ｍｏｄ Ｎ）
ここで、Ｔは、ＵＥのＤＲＸ周期又はページング周期を示す。ＳＩＢ２において搬送されるデフォルトページング周期がＴ_ｓｉｂとして記載され、ＵＥのＤＲＸ値Ｔ_ｕｅが設定されている場合、Ｔ＝ｍｉｎ ( Ｔ_ｕｅ、Ｔ_ｓｉｂ )であり、Ｔ_ｕｅとＴ_ｓｉｂとの間の小さい値を取ると表され、Ｔ_ｕｅが設定されていない場合、Ｔ＝Ｔ_ｓｉｂが設定される。ＵＥ_ＩＤ＝( ＩＭＳＩ ｍｏｄ１０２４ )、すなわち、全てのＩＭＳＩを１０２４個のＵＥグループに分割し、ＩＭＳＩは各ユーザに一意である。Ｎ＝ｍｉｎ ( Ｔ，ｎＢ )は、ＴとｎＢとの間の小さい値を表し、ここで、パラメータｎＢは、ページングの密度を表し、ｎＢは、ＳＩＢ２において搬送され、値の範囲は、{ ４Ｔ，２Ｔ，Ｔ，Ｔ / ２，Ｔ / ４，Ｔ / ８，Ｔ / １６，Ｔ / ３２ }であり、したがって、Ｎの値の範囲は、{ Ｔ，Ｔ / ２，Ｔ / ４，Ｔ / ８，Ｔ / １６，Ｔ / ３２ }であり、実際には、Ｎは、１周期あたり何個のＰＦが含まれているかを示す。
【００６０】
ＰＯサブフレームの位置は、ＬＴＥのタイプ( ＦＤＤ又はＴＤＤ )と、パラメータＮｓと、ｉ_ｓとによって決定され、ここで、ＮｓはＰＦ当たりのページングサブフレームの数を表し、ｉ_ｓはページングサブフレームのインデックスを表し、Ｎｓ＝ｍａｘ ( １，ｎＢ / Ｔ )、ｉ_ｓ＝ｆｌｏｏｒ ( ＵＥ_ＩＤ / Ｎ ) ｍｏｄ Ｎｓである。表１、表２に示すように、Ｎｓの値は１、２、４の３タイプの値しかないが、例えば、現在ＬＴＥ−ＦＤＤ方式であり、Ｎｓ＝４である場合、ｉ_ｓ＝０であれば、ＰＯ＝０、ページングメッセージは０番のサブフレームで送信され、ｉ_ｓ＝２の場合、ＰＯ＝５、ページングメッセージは５番のサブフレームで送信される。最後に、ＵＥは、セル内のＰＯと自己のＵＥ＿ＩＤとに基づいて、１周期内で自己に属するＰＯの位置を決定する。この方法により、ＵＥは、異なるＰＯに平均化される。
【表１】
2021512523.tif 000003
【表２】
2021512523.tif 000004
【００６１】
４）５Ｇのページング
５Ｇにおける１つの時間周波数リソースの定義は、１つの定義ＳＳ ｂｌｏｃｋに対応するｎｏｍｉｎａｌ ｒｅｓｏｕｒｃｅが、ＰＯにおいてページングメッセージを搬送する時間周波数リソースのために使用される。図７に示すように、実際にＳＳ ｂｌｏｃｋが送信されるｎｏｍｉｎａｌ ｒｅｓｏｕｒｃｅが位置するシンボル上で、ＰＯに対応する時間周波数リソースは、ｎｏｍｉｎａｌ ｒｅｓｏｕｒｃｅに対応する時間周波数リソースと周波数分割され、このＰＯに対応する時間周波数リソースタイプは、第１の時間周波数リソースタイプと呼ばれ、ＳＳ ｂｌｏｃｋを送信しないｎｏｍｉｎａｌ ｒｅｓｏｕｒｃｅが位置するシンボル上で、ＰＯに対応する時間周波数リソースは、ｎｏｍｉｎａｌ ｒｅｓｏｕｒｃｅに対応する時間周波数リソースを含むことができ、このようなＰＯに対応する時間周波数リソースタイプは、第２の時間周波数リソースタイプと呼ばれる。
【００６２】
図７のＰＯの２つの時間周波数リソースタイプに対して、その時間周波数リソースの大きさが異なるため、ページングメッセージが搬送され得る能力も異なる。特に、第１の時間周波数リソースタイプでは、ＰＯに対応する時間周波数リソースとｎｏｍｉｎａｌ ｒｅｓｏｕｒｃｅに対応する時間周波数リソースが周波数分割され、且つ、全体の帯域幅がＵＥの最小帯域幅能力を満たす必要があるため、ページングメッセージを搬送するための帯域幅が非常に制限される。
【００６３】
実際のシステム展開では、ネットワークが構成することができるページング時間ユニット(例えば、ＰＯ又はＰＯ内の一部の時間ユニット)は、第１のタイプのページング時間ユニットと第２のタイプのページング時間ユニットの両方を含む。構成された、ページングを搬送するための時間周波数リソースとＳＳ ｂｌｏｃｋのｎｏｍｉｎａｌ ｒｅｓｏｕｒｃｅとが周波数分割に多重化されると、システム内のＵＥの最小帯域幅能力を超える可能性があり、ＵＥがページングを受信することができなく、この時、ネットワークにより構成された２タイプのページング時間ユニットの中から第１のタイプのページング時間ユニットを排除しなければならない。
【００６４】
以下、本発明の実施例について具体的な実施例を挙げて説明する。
【００６５】
図８は本発明の実施例におけるページング時間の決定方法のフローチャートである一であり、図８に示すように、前記ページング時間の決定方法は、以下のステップを含む。
【００６６】
ステップ８０１において、端末がページング構成情報を受信する。
【００６７】
本発明の実施例において、端末がネットワークからのページング構成情報を受信する。
【００６８】
ステップ８０２において、前記端末が前記ページング構成情報に基づいて、前記端末に対応するページング時間ユニットのタイプを決定する。
【００６９】
本発明の実施例において、前記端末が前記ページング構成情報に基づいて、前記端末に対応するページング時間ユニットのタイプを決定することは、以下の方式により実現することができるが、これに限定されない。
【００７０】
方式１として、前記端末が前記ページング構成情報からページングメッセージに対応する時間周波数リソース情報を取得し、前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定する。
【００７１】
上記の方式１について、前記端末に対応するページング時間ユニットのタイプを決定することは、
１）前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定することと、
２）前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定することとを含む。
【００７２】
例えば、ページングメッセージに対応する時間周波数リソースとＳＳ ｂｌｏｃｋのｎｏｍｉｎａｌ ｒｅｓｏｕｒｃｅとが周波数分割多重される場合、前記端末が前記ページングメッセージに対応する時間周波数リソース情報及びＳＳ ｂｌｏｃｋの時間周波数リソース情報に基づいて、前記ページングメッセージと前記ＳＳ ｂｌｏｃｋに対応する帯域幅情報を決定し、前記端末が前記ページングメッセージと前記ＳＳ ｂｌｏｃｋに対応する帯域幅情報と、予め設定された帯域幅情報とを比較し、前記ページングメッセージ及び前記ＳＳ ｂｌｏｃｋに対応する帯域幅情報が前記予め設定された帯域幅情報よりも大きい場合、前記端末に対応するページング時間ユニットのタイプが第２のタイプのページング時間ユニットであると決定し、前記ページングメッセージと前記ＳＳ ｂｌｏｃｋに対応する帯域幅情報が前記予め設定された帯域幅情報以下である場合、前記端末に対応するページング時間ユニットのタイプが第１のタイプのページング時間ユニット及び第２のタイプのページング時間ユニットであると決定する。
【００７３】
また、例えば、ページングメッセージに対応する時間周波数リソースがｎｏｍｉｎａｌ ｒｅｓｏｕｒｃｅ（このｎｏｍｉｎａｌ ｒｅｓｏｕｒｃｅにおいてＳＳ ｂｌｏｃｋを送信しない）の位置する時間周波数リソースを含む場合、前記端末が前記ページングメッセージに対応する帯域幅情報と、予め設定された帯域幅情報とを比較し、前記ページングメッセージに対応する帯域幅情報が前記予め設定された帯域幅情報よりも大きい場合、前記端末に対応するページング時間ユニットのタイプが第２のタイプのページング時間ユニットであると決定し、前記ページングメッセージに対応する帯域幅情報が前記予め設定された帯域幅情報以下である場合、前記端末に対応するページング時間ユニットのタイプが第１のタイプのページング時間ユニット及び第２のタイプのページング時間ユニットであると決定する。
【００７４】
また、例えば、ページングメッセージに対応する時間周波数リソース及びｎｏｍｉｎａｌ ｒｅｓｏｕｒｃｅ（このｎｏｍｉｎａｌ ｒｅｓｏｕｒｃｅにおいて、ＳＳ ｂｌｏｃｋを送信しても良いし、ＳＳ ｂｌｏｃｋを送信しなくても良い）が時間分割多重される場合、前記端末は、前記ページングメッセージに対応する帯域幅情報と、予め設定された帯域幅情報とを比較し、前記ページングメッセージに対応する帯域幅情報が前記予め設定された帯域幅情報よりも大きい場合、前記端末に対応するページング時間ユニットのタイプが第２のタイプのページング時間ユニットであると決定し、前記ページングメッセージに対応する帯域幅情報が前記予め設定された帯域幅情報以下である場合、前記端末に対応するページング時間ユニットのタイプが第１のタイプのページング時間ユニット及び第２のタイプのページング時間ユニットであると決定する。
【００７５】
上記の技術案において、前記予め設定された帯域幅情報が端末の最小帯域幅情報、又は、前記予め設定された帯域幅情報が前記端末に対応する帯域幅情報である。
【００７６】
ここで、システム内の異なる端末は、それぞれ、対応する帯域幅能力(すなわち、帯域幅情報)に対応しており、全ての帯域幅情報の中で、１つの最小帯域幅情報を１つ有し、即ち、システム内の全ての端末の帯域幅情報が、この最小帯域幅情報以上である。例えば、端末１は帯域幅１、端末２は帯域幅２、端末３は帯域幅３に対応し、帯域幅１、帯域幅２及び帯域幅３は異なる帯域幅であり、これら３つの帯域幅はいずれも最小帯域幅以上である。このように、端末の最小帯域幅情報とは、システムが対応している最小帯域幅情報である。また、応用では、ネットワーク側で各端末の帯域情報を取得することができる。
【００７７】
方式２として、前記端末が前記ページング構成情報からページング指示情報を取得し、前記端末が前記ページング指示情報に基づいて、前記端末に対応するページング時間ユニットのタイプを決定する。
【００７８】
方式２について、前記端末に対応するページング時間ユニットのタイプを決定することは、
１）前記端末が前記ページング指示情報に基づいて、前記端末に対応するページング時間ユニットのタイプが第１のタイプのページング時間ユニット又は第２のタイプのページング時間ユニットであると決定することと、
２）前記端末が前記ページング指示情報に基づいて、前記端末に対応するページング時間ユニットのタイプが第１のタイプのページング時間ユニット及び第２のタイプのページング時間ユニットであると決定することと、を含む。
【００７９】
上記の技術案において、端末は、ネットワーク側の指示に基づいて、ページング時間ユニットのタイプを直接に決定することができる。
【００８０】
ある実施例において、ページング指示情報は、端末に対応するページング時間ユニットのタイプを含む。
【００８１】
他の実施例において、ページング指示情報は、端末が排除する必要があるページング時間ユニットのタイプを含む。
【００８２】
例えば、ページング時間ユニットがＰＯである場合、ページング指示情報は、端末が第２のタイプのＰＯに対応することを示し、又は、端末が第１のタイプのＰＯを排除する必要があることを示す。具体的な指示方式に関わらず、端末はページング指示情報によって端末が対応するページング時間ユニットのタイプを特定することができ、即ち、端末が第２のタイプのＰＯに対応する。 
また、例えば、ページング時間ユニットがＰＯである場合、ページング指示情報は、端末が第１及び第２のタイプのＰＯに対応し、又は、端末はＰＯの種類を排除する必要がないことを示す。端末は、具体的な表示方法にかかわらず、ページング指示情報によって、端末に対応するページング時間ユニットのタイプ、すなわち、端末が第１及び第２のタイプのＰＯに対応することを特定することができる。
【００８３】
ステップ８０３において、前記端末が前記ページング時間ユニットのタイプに基づいて、ページング時間ユニットのセットを決定する。
【００８４】
本発明の実施例において、前記第１のタイプのページング時間ユニットが第１の時間周波数リソースタイプに対応し、前記第２のタイプのページング時間ユニットが第２の時間周波数リソースタイプに対応する。
【００８５】
上記の技術案において、第１の時間周波数リソースタイプと第２の時間周波数リソースタイプとは、以下の関係を有し、
１）前記第１の時間周波数リソースタイプに対応する時間周波数リソースの大きさと、前記第２の時間周波数リソースタイプに対応する時間周波数リソースの大きさとが異なる。
【００８６】
２）前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００８７】
３）前記第１の時間周波数リソースタイプに対応する時間周波数リソースの大きさと、前記第２の時間周波数リソースタイプに対応する時間周波数リソースの大きさとが異なり、且つ、前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【００８８】
さらに、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【００８９】
前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【００９０】
前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【００９１】
上記の技術案において、前記ページング時間ユニットは、ＰＯ又はＰＯの一部の時間ユニットを含む。
【００９２】
このように、第１のタイプのページング時間ユニットとＳＳ ｂｌｏｃｋのｎｏｍｉｎａｌ ｒｅｓｏｕｒｃｅとが周波数分割多重されると、予め設定された帯域幅情報を超える可能性がある（例えば、端末の最小帯域幅情報により、端末がページングを受信することが不可能になる場合）、この時、第１のタイプのページング時間ユニットを排除する必要があり、すなわち、端末は、第２のタイプのページング時間ユニットのセットをページング時間ユニットの候補として、ここで、端末は、ページング時間ユニットの候補において自身に対応するページング時間ユニット位置を決定し、このページング時間ユニット位置においてページングメッセージを受信する。
【００９３】
もちろん、予め設定された帯域幅情報を超えない場合（例えば、端末の最小帯域情報端末であり、端末がページングを受信することができない）、この時、第１のタイプのページング時間ユニット及び第２のタイプのページング時間ユニットのセットは、いずれも候補ページング時間ユニットとすることができ、ここで、端末が自身に対応するページング時間ユニットの位置を候補ページング時間単位内で決定し、このページング時間ユニットの位置でページングメッセージを受信することができる。
【００９４】
ステップ８０４において、前記端末が前記ページング時間ユニットのセット内の少なくとも１つのページング時間においてページングメッセージを受信し、ここで、前記ページング時間ユニットは、第１のタイプのページング時間ユニット、第２のタイプのページング時間ユニットのうちの少なくとも１つを含む。
【００９５】
具体的な応用では、端末は、ページング時間ユニットのセットを決定した後、自己のＵＥ＿ＩＤに基づいて、自己がページングメッセージを受信するページング時間ユニット(例えば、ＰＯ )の位置を特定し、決定されたページング時間ユニットの位置でページングメッセージを受信する。
【００９６】
図９は本発明の実施例におけるページング時間の決定装置の構成の模式図一であり、図９に示すように、前記ページング時間の決定装置は、第１の受信ユニット９０１と、第１の決定ユニット９０２と、第２の決定ユニット９０３と、第２の受信ユニット９０４とを備え、
第１の受信ユニット９０１は、ページング構成情報を受信するように構成され、
第１の決定ユニット９０２は、前記ページング構成情報に基づいて、前記端末に対応するページング時間ユニットのタイプを決定するように構成され、
第２の決定ユニット９０３は、前記ページング時間ユニットのタイプに基づいて、ページング時間ユニットのセットを決定するように構成され、
第２の受信ユニット９０４は、前記ページング時間ユニットのセット内の少なくとも１つのページング時間においてページングメッセージを受信するように構成され、
ここで、前記ページング時間ユニットは、第１のタイプのページング時間ユニット、第２のタイプのページング時間ユニットのうちの少なくとも１つを含む。
【００９７】
ある実施例において、前記第１の決定ユニット９０２は、前記ページング構成情報からページングメッセージに対応する時間周波数リソース情報を取得し、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定するように構成される。
【００９８】
ある実施例において、前記第１の決定ユニット９０２は、前記ページング構成情報からページング指示情報を取得し、前記ページング指示情報に基づいて前記端末に対応するページング時間ユニットのタイプを決定するように構成される。
【００９９】
ある実施例において、前記第１の決定ユニット９０２は、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット又は第２のタイプのページング時間ユニットであると決定し、又は、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプが第１のタイプのページング時間ユニット及び第２のタイプのページング時間ユニットであると決定するように構成される。
【０１００】
ある実施例において、前記予め設定された帯域幅情報が端末の最小帯域幅情報、又は、前記予め設定された帯域幅情報が前記端末に対応する帯域幅情報である。
【０１０１】
ある実施例において、前記第１の決定ユニット９０２は、前記ページング指示情報に基づいて、前記端末に対応するページング時間ユニットのタイプが第１のタイプのページング時間ユニット又は第２のタイプのページング時間ユニットであると決定し、又は、前記ページング指示情報に基づいて、前記端末に対応するページング時間ユニットのタイプが第１のタイプのページング時間ユニット及び第２のタイプのページング時間ユニットであると決定するように構成される。
【０１０２】
ある実施例において、前記第１のタイプのページング時間ユニットが第１の時間周波数リソースタイプに対応し、前記第２のタイプのページング時間ユニットが第２の時間周波数リソースタイプに対応する。
【０１０３】
ある実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【０１０４】
ある実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【０１０５】
ある実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【０１０６】
ある実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【０１０７】
ある実施例において、前記ページング時間ユニットは、ＰＯ又はＰＯの一部の時間ユニットを含む。
【０１０８】
なお、図９に示されたページング時間の決定装置における各ユニットの実現機能は、前述したページング時間の決定方法に関する説明を参照する。図９に示すページング時間の決定装置における各手段の機能は、プロセッサ上で動作するプログラムによって実現されてもよく、具体的な論理回路によって実現されてもよい。
【０１０９】
図１０は本発明の実施例におけるページング時間の決定方法のフローチャート二であり、図１０に示すように、前記ページング時間の決定方法は、以下のステップを含む、
ステップ１００１において、ネットワークがページング構成情報を送信し、前記ページング構成情報が、端末に対応するページング時間ユニットのタイプを決定するために用いられる。
【０１１０】
ある実施例において、前記ページング構成情報が、ページングメッセージに対応する時間周波数リソース情報を含む。
【０１１１】
このように、端末は、前記ページング構成情報からページングメッセージに対応する時間周波数リソース情報を取得し、前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応するページング時間ユニットのタイプを決定することができる。
【０１１２】
他の実施例において、前記ページング構成情報がページング指示情報を含む。
【０１１３】
このように、端末は、前記ページング構成情報からページング指示情報を取得し、前記ページング指示情報に基づいて、前記端末に対応するページング時間ユニットのタイプを決定することができる。
【０１１４】
上記の技術案において、前記第１のタイプのページング時間ユニットが第１の時間周波数リソースタイプに対応し、前記第２のタイプのページング時間ユニットが第２の時間周波数リソースタイプに対応する。
【０１１５】
さらに、前記第１の時間周波数リソースタイプに対応する時間周波数リソースの大きさと、前記第２の時間周波数リソースタイプに対応する時間周波数リソースの大きさとが異なり、及び／又は、前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【０１１６】
上記の技術案において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【０１１７】
上記の技術案において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【０１１８】
上記の技術案において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【０１１９】
上記の技術案において、前記ページング時間ユニットは、ＰＯ又はＰＯの一部の時間ユニットを含む。
【０１２０】
ステップ１００２において、前記ネットワークが前記ページング構成情報に対応するページング時間ユニットのセット内の少なくとも１つのページング時間ユニットにおいてページングメッセージを送信し、ここで、前記ページング時間ユニットは、第１のタイプのページング時間ユニット、第２のタイプのページング時間ユニットのうちの少なくとも１つを含む。
【０１２１】
なお、ネットワーク側のページング構成情報と端末側のページング構成情報とが対応する。
【０１２２】
図１１は本発明の実施例におけるページング時間の決定装置の構成の模式図二であり、図１１に示すように、前記装置は、第１の送信ユニット１１０１及び第２の送信ユニット１１０２を含み、
第１の送信ユニット１１０１は、ページング構成情報を送信するように構成され、前記ページング構成情報が、端末に対応するページング時間ユニットのタイプを決定するために用いられ、
第２の送信ユニット１１０２は、前記ページング構成情報に対応するページング時間ユニットのセット内の少なくとも１つのページング時間ユニットにおいてページングメッセージを送信するように構成され、
ここで、前記ページング時間ユニットは、第１のタイプのページング時間ユニット、第２のタイプのページング時間ユニットのうちの少なくとも１つを含む。
【０１２３】
ある実施例において、前記ページング構成情報が、ページングメッセージに対応する時間周波数リソース情報を含む。
【０１２４】
ある実施例において、前記ページング構成情報がページング指示情報を含む。
【０１２５】
ある実施例において、前記第１のタイプのページング時間ユニットが第１の時間周波数リソースタイプに対応し、前記第２のタイプのページング時間ユニットが第２の時間周波数リソースタイプに対応する。
【０１２６】
ある実施例において、前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる。
【０１２７】
ある実施例において、前記第１のタイプのページング時間ユニットが第１の時間周波数リソースタイプに対応することは、
ＳＳ ｂｌｏｃｋを送信するｎｏｍｉｎａｌ ｒｅｓｏｕｒｃｅの位置するシンボルにおいて、第１のタイプのページング時間ユニットに対応する時間周波数リソースと前記ｎｏｍｉｎａｌ ｒｅｓｏｕｒｃｅとが、周波数分割されることを含む。
【０１２８】
ある実施例において、前記第２のタイプのページング時間ユニットが第２の時間周波数リソースタイプに対応することは、
ＳＳ ｂｌｏｃｋを送信しないｎｏｍｉｎａｌ ｒｅｓｏｕｒｃｅの位置するシンボルにおいて、第２のタイプのページング時間ユニットに対応する時間周波数リソースが前記ｎｏｍｉｎａｌ ｒｅｓｏｕｒｃｅの位置する時間周波数リソースを含むことを含む。
【０１２９】
ある実施例において、前記第２のタイプのページング時間ユニットが第２の時間周波数リソースタイプに対応することは、
第２のタイプのページング時間ユニットに対応する時間周波数リソースと前記ｎｏｍｉｎａｌ ｒｅｓｏｕｒｃｅとが、時間分割されることを含む。
【０１３０】
ある実施例において、前記ページング時間ユニットは、ＰＯ又はＰＯの一部の時間ユニットを含む。
【０１３１】
以上説明した本発明の実施例に係るページング時間の決定装置は、ソフトウェア機能モジュールとして実現され、スタンドアロン製品として販売又は使用される場合には、コンピュータ読み取り可能な記憶媒体に記憶されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。 
従って、本発明の実施例は、プロセッサによって実行されたときに本発明の実施例による上述したページング時間の決定方法を実現するコンピュータ実行可能命令を記憶したコンピュータ記憶媒体をさらに提供する。
【０１３２】
図１２は、本発明の実施形態に係る端末の構成を示す図であり、図１２に示すように、端末１２０は、１つ又は複数の(図面には１つのみ示す)プロセッサ１２０２ (プロセッサ１２０２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含んでもよいが、これに限定されない)、データを格納するためのメモリ１２０４、及び通信機能のための伝送装置１２０６を含むことができる。図１２に示す構成は、あくまでも例示であり、上述した電子機器の構成に限定されるものではないことは、当業者に理解されるところである。例えば、端末１２０は、図１２に示された構成よりも多いか少ない構成要素をさらに含んでもよく、図１２に示された構成と異なる構成を有してもよい。
【０１３３】
メモリ１２０４は、本発明の実施例に係るページング時間の決定方法に対応するプログラム命令/モジュールのようなアプリケーションのソフトウェアプログラム及びモジュールを格納するために使用され、プロセッサ１２０２は、メモリ１２０４に格納されたソフトウェアプログラム及びモジュールを実行することによって、様々な機能アプリケーション及びデータ処理を実行することによって、上述した方法を実現する。メモリ１２０４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１２０４は、プロセッサ１２０２に対して遠隔に配置されたメモリをさらに含んでもよく、メモリは、ネットワークを介して端末１２０に接続されてもよい。上記ネットワークの例としては、インターネット、イントラネット、ローカルエリアネットワーク、移動体通信ネットワーク、及びこれらの組み合わせが挙げられるが、これらに限定されない。
【０１３４】
伝送装置１２０６は、ネットワークを介してデータを送受信するための装置である。上記のネットワークの具体例としては、端末１２０の通信事業者が提供する無線ネットワークが挙げられる。一例では、伝送装置１２０６は、基地局を介して他のネットワーク装置に接続可能であり、インターネットと通信可能であるネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１２０６は、無線方式でインターネットと通信するための無線周波数( ＲＦ、Ｒａｄｉｏ Ｆｒｅｑｕｅｎｃｙ )モジュールであってもよい。
【０１３５】
本発明の実施例に記載した技術的手段は、矛盾なき限り、任意に組み合わせることができる。
【０１３６】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１３７】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、本実施形態の目的を達成する手段の一部又は全部を、必要に応じて選択することができる。 
また、本発明の各実施例における各機能部は、全てが１つの第２の処理部に集積されてもよく、各部がそれぞれ単独で１つのユニットとして構成されてもよく、２つ以上のユニットが１つのユニットに集積されてもよく、上記の統合されたユニットは、ハードウェアの形態で実現されてもよく、ハードウェア及びソフトウェア機能ユニットの形態で実現されてもよい。
【０１３８】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021512523.tif 000005
【図２】
2021512523.tif 000006
【図３】
2021512523.tif 000007
【図４】
2021512523.tif 000008
【図５】
2021512523.tif 000009
【図６】
2021512523.tif 000010
【図７】
2021512523.tif 000011
【図８】
2021512523.tif 000012
【図９】
2021512523.tif 000013
【図１０】
2021512523.tif 000014
【図１１】
2021512523.tif 000015
【図１２】
2021512523.tif 000016
【手続補正書】
【提出日】令和2年11月17日(2020.11.17)
【手続補正１】
【補正対象書類名】明細書
【補正対象項目名】０００５
【補正方法】変更
【補正の内容】
【０００５】
本願の実施例におけるページング時間の決定方法は、
端末がページング構成情報を受信することと、
前記端末が前記ページング構成情報に基づいて、前記端末に対応するページング時間ユニットのタイプを決定することと、
前記端末が前記ページング時間ユニットのタイプに基づいて、ページング時間ユニットのセットを決定することと、
前記端末が前記ページング時間ユニットのセット内の少なくとも１つのページング時間ユニットにおいてページングメッセージを受信することとを含み、
ここで、前記ページング時間ユニットは、第１のタイプのページング時間ユニット、第２のタイプのページング時間ユニットのうちの少なくとも１つを含む。
【手続補正２】
【補正対象書類名】明細書
【補正対象項目名】００２６
【補正方法】変更
【補正の内容】
【００２６】
本願の実施例におけるページング時間の決定装置は、第１の受信ユニットと、第１の決定ユニットと、第２の決定ユニットと、第２の受信ユニットとを備え、
第１の受信ユニットは、ページング構成情報を受信するように構成され、
第１の決定ユニットは、前記ページング構成情報に基づいて、前記端末に対応するページング時間ユニットのタイプを決定するように構成され、
第２の決定ユニットは、前記ページング時間ユニットのタイプに基づいて、ページング時間ユニットのセットを決定するように構成され、
第２の受信ユニットは、前記ページング時間ユニットのセット内の少なくとも１つのページング時間ユニットにおいてページングメッセージを受信するように構成され、
ここで、前記ページング時間ユニットは、第１のタイプのページング時間ユニット、第２のタイプのページング時間ユニットのうちの少なくとも１つを含む。
【手続補正３】
【補正対象書類名】明細書
【補正対象項目名】００９３
【補正方法】変更
【補正の内容】
【００９３】
もちろん、予め設定された帯域幅情報を超えない場合（例えば、端末の最小帯域情報端末であり）、この時、第１のタイプのページング時間ユニット及び第２のタイプのページング時間ユニットのセットは、いずれも候補ページング時間ユニットとすることができ、ここで、端末が自身に対応するページング時間ユニットの位置を候補ページング時間単位内で決定し、このページング時間ユニットの位置でページングメッセージを受信することができる。
【手続補正４】
【補正対象書類名】明細書
【補正対象項目名】００９４
【補正方法】変更
【補正の内容】
【００９４】
ステップ８０４において、前記端末が前記ページング時間ユニットのセット内の少なくとも１つのページング時間ユニットにおいてページングメッセージを受信し、ここで、前記ページング時間ユニットは、第１のタイプのページング時間ユニット、第２のタイプのページング時間ユニットのうちの少なくとも１つを含む。
【手続補正５】
【補正対象書類名】明細書
【補正対象項目名】００９６
【補正方法】変更
【補正の内容】
【００９６】
図９は本発明の実施例におけるページング時間の決定装置の構成の模式図一であり、図９に示すように、前記ページング時間の決定装置は、第１の受信ユニット９０１と、第１の決定ユニット９０２と、第２の決定ユニット９０３と、第２の受信ユニット９０４とを備え、
第１の受信ユニット９０１は、ページング構成情報を受信するように構成され、
第１の決定ユニット９０２は、前記ページング構成情報に基づいて、前記端末に対応するページング時間ユニットのタイプを決定するように構成され、
第２の決定ユニット９０３は、前記ページング時間ユニットのタイプに基づいて、ページング時間ユニットのセットを決定するように構成され、
第２の受信ユニット９０４は、前記ページング時間ユニットのセット内の少なくとも１つのページング時間ユニットにおいてページングメッセージを受信するように構成され、
ここで、前記ページング時間ユニットは、第１のタイプのページング時間ユニット、第２のタイプのページング時間ユニットのうちの少なくとも１つを含む。
【手続補正６】
【補正対象書類名】特許請求の範囲
【補正対象項目名】全文
【補正方法】変更
【補正の内容】
【特許請求の範囲】
【請求項１】
端末がページング構成情報を受信することと、
前記端末が前記ページング構成情報に基づいて、前記端末に対応する少なくとも１つのページング時間ユニットの少なくとも１つのタイプを決定することと、
前記端末が前記少なくとも１つのページング時間ユニットの少なくとも１つのタイプに基づいて、ページング時間ユニットのセットを決定することと、
前記端末が前記ページング時間ユニットのセット内の少なくとも１つのページング時間ユニットにおいてページングメッセージを受信することとを含み、
前記少なくとも１つのページング時間ユニットは、第１のタイプのページング時間ユニット、第２のタイプのページング時間ユニットのうちの少なくとも１つを含む
ことを特徴とするページング時間の決定方法。
【請求項２】
前記端末が前記ページング構成情報に基づいて、前記端末に対応する少なくとも１つのページング時間ユニットの少なくとも１つのタイプを決定することは、
前記端末が前記ページング構成情報からページングメッセージに対応する時間周波数リソース情報を取得することと、
前記端末が前記ページングメッセージに対応する時間周波数リソース情報、同期信号ブロックＳＳ ｂｌｏｃｋの時間周波数リソース情報、及び予め設定された帯域幅情報のうちの少なくとも１つに基づいて、前記端末に対応する少なくとも１つのページング時間ユニットの少なくとも１つのタイプを決定することとを含む
ことを特徴とする請求項１に記載のページング時間の決定方法。
【請求項３】
前記端末が前記ページング構成情報に基づいて、前記端末に対応する少なくとも１つのページング時間ユニットの少なくとも１つのタイプを決定することは、
前記端末が前記ページング構成情報からページング指示情報を取得することと、
前記端末が前記ページング指示情報に基づいて、前記端末に対応する少なくとも１つのページング時間ユニットの少なくとも１つのタイプを決定することとを含む
ことを特徴とする請求項１に記載のページング時間の決定方法。
【請求項４】
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応する少なくとも１つのページング時間ユニットの少なくとも１つのタイプを決定することは、
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応する少なくとも１つのページング時間ユニットの少なくとも１つのタイプが第１のタイプのページング時間ユニット又は第２のタイプのページング時間ユニットであると決定すること、
又は、
前記端末が前記ページングメッセージに対応する時間周波数リソース情報、ＳＳ ｂｌｏｃｋの時間周波数リソース情報、及び予め設定された帯域幅情報のうちの少なくとも１つに基づいて、前記端末に対応する少なくとも１つのページング時間ユニットの少なくとも１つのタイプが第１のタイプのページング時間ユニット及び第２のタイプのページング時間ユニットであると決定することを含む
ことを特徴とする請求項２に記載のページング時間の決定方法。
【請求項５】
前記端末が前記ページング指示情報に基づいて、前記端末に対応する少なくとも１つのページング時間ユニットの少なくとも１つのタイプを決定することは、
前記端末が前記ページング指示情報に基づいて、前記端末に対応する少なくとも１つのページング時間ユニットの少なくとも１つのタイプが第１のタイプのページング時間ユニット又は第２のタイプのページング時間ユニットであると決定すること、又は、
前記端末が前記ページング指示情報に基づいて、前記端末に対応する少なくとも１つのページング時間ユニットの少なくとも１つのタイプが第１のタイプのページング時間ユニット及び第２のタイプのページング時間ユニットであると決定することを含む
ことを特徴とする請求項３に記載のページング時間の決定方法。
【請求項６】
前記ページング時間ユニットは、ページングタイミングＰＯ、又はＰＯの一部の時間ユニットを含む
ことを特徴とする請求項１〜５のいずれか１項に記載のページング時間の決定方法。
【請求項７】
ネットワークがページング構成情報を送信することと、
前記ネットワークが前記ページング構成情報に対応するページング時間ユニットのセット内の少なくとも１つのページング時間ユニットにおいてページングメッセージを送信することとを含み、
前記ページング構成情報が、端末に対応する少なくとも１つのページング時間ユニットの少なくとも１つのタイプを決定するために用いられ、
前記少なくとも１つのページング時間ユニットは、第１のタイプのページング時間ユニット、第２のタイプのページング時間ユニットのうちの少なくとも１つを含む
ことを特徴とするページング時間の決定方法。
【請求項８】
前記ページング構成情報が、ページングメッセージに対応する時間周波数リソース情報を含む
ことを特徴とする請求項７に記載のページング時間の決定方法。
【請求項９】
前記ページング構成情報がページング指示情報を含む
ことを特徴とする請求項７に記載のページング時間の決定方法。
【請求項１０】
第１の受信ユニットと、第１の決定ユニットと、第２の決定ユニットと、第２の受信ユニットとを備えるページング時間の決定装置であって、
前記第１の受信ユニットは、ページング構成情報を受信するように構成され、
前記第１の決定ユニットは、前記ページング構成情報に基づいて、前記端末に対応する少なくとも１つのページング時間ユニットの少なくとも１つのタイプを決定するように構成され、
前記第２の決定ユニットは、前記少なくとも１つのページング時間ユニットの少なくとも１つのタイプに基づいて、ページング時間ユニットのセットを決定するように構成され、
前記第２の受信ユニットは、前記ページング時間ユニットのセット内の少なくとも１つのページング時間ユニットにおいてページングメッセージを受信するように構成され、
前記少なくとも１つのページング時間ユニットは、第１のタイプのページング時間ユニット、第２のタイプのページング時間ユニットのうちの少なくとも１つを含む
ことを特徴とするページング時間の決定装置。
【請求項１１】
前記第１のタイプのページング時間ユニットが第１の時間周波数リソースタイプに対応し、前記第２のタイプのページング時間ユニットが第２の時間周波数リソースタイプに対応する
ことを特徴とする請求項１０に記載のページング時間の決定装置。
【請求項１２】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプと同期信号ブロックＳＳ ｂｌｏｃｋの時間周波数リソースの多重方式と、前記第２の時間周波数リソースタイプとＳＳ ｂｌｏｃｋの時間周波数リソースの多重方式とが、異なる
ことを特徴とする請求項１１に記載のページング時間の決定装置。
【請求項１３】
第１の送信ユニットと、第２の送信ユニットとを備えるページング時間の決定装置であって、
前記第１の送信ユニットは、ページング構成情報を送信するように構成され、前記ページング構成情報が、端末に対応する少なくとも１つのページング時間ユニットの少なくとも１つのタイプを決定するために用いられ、
前記第２の送信ユニットは、前記ページング構成情報に対応するページング時間ユニットのセット内の少なくとも１つのページング時間ユニットにおいてページングメッセージを送信するように構成され、
前記少なくとも１つのページング時間ユニットは、第１のタイプのページング時間ユニット、第２のタイプのページング時間ユニットのうちの少なくとも１つを含む
ことを特徴とするページング時間の決定装置。
【請求項１４】
前記第１のタイプのページング時間ユニットが第１の時間周波数リソースタイプに対応し、前記第２のタイプのページング時間ユニットが第２の時間周波数リソースタイプに対応する
ことを特徴とする請求項１３に記載のページング時間の決定装置。
【請求項１５】
前記第１の時間周波数リソースタイプに対応する時間周波数リソースの大きさと、前記第２の時間周波数リソースタイプに対応する時間周波数リソースの大きさとが異なり、
及び／又は、
前記第１の時間周波数リソースタイプとＳＳ ｂｌｏｃｋの時間周波数リソースの多重方式と、前記第２の時間周波数リソースタイプとＳＳ ｂｌｏｃｋの時間周波数リソースの多重方式とが異なる
ことを特徴とする請求項１４に記載のページング時間の決定装置。
【国際調査報告】
2021512523.tif 000017
2021512523.tif 000018
2021512523.tif 000019
2021512523.tif 000020